(57)【要約】  優先呼のように、通常呼よりも優先すべき種別の通信が発生した場合に、適切なＣＳＧセルの測定を行なう。通常時は事前に登録された移動局装置のみをアクセス可能とする一方、非通常時は未登録の移動局装置のアクセスを可能とする小型基地局装置を含む移動通信システムに適用される移動局装置であって、少なくとも通常の基地局装置と小型基地局装置とを識別するためのセル種別判定情報を出力するセル情報管理部１０３と、セル種別判定情報および通信の優先度を示すアクセスクラス情報に基づいて、小型基地局装置との間の伝搬路状態の測定を行なうか否かを選択し、選択結果に応じた伝搬路状態の測定を行なう受信信号処理部１０２と、を備える。
2009150943.tif 000002
【特許請求の範囲】
【請求項１】
事前に登録された移動局装置および優先呼通信中の移動局装置と通信を行なうアクセス制限された基地局装置を含む移動通信システムに適用される移動局装置であって、
通信中の前記移動局装置の移動制御に用いられる前記アクセス制限された基地局装置の送信信号の測定結果を測定報告情報として送信するか否かを、前記移動局装置の通信の優先度に基づいて判断することを特徴とする移動局装置。
【請求項２】
前記通信の優先度が高い場合は、前記アクセス制限された基地局装置の送信信号の測定結果を測定報告情報として送信する一方、前記通信の優先度が低い場合は、前記アクセス制限された基地局装置の送信信号の測定結果を測定報告情報として送信しないことを特徴とする請求項１記載の移動局装置。
【請求項３】
再接続を行なう場合、再接続の直前に行なっていた前記通信の優先度に基づいて、前記アクセス制限された基地局装置を再接続セルとして選択可能か否かを判断することを特徴とする請求項１記載の移動局装置。
【請求項４】
前記通信の優先度が高い場合は、前記アクセス制限された基地局装置を前記再接続セルとして選択可能と判断する一方、前記通信の優先度が低い場合は、前記アクセス制限された基地局装置を前記再接続セルとして選択不可能と判断することを特徴とする請求項３記載の移動局装置。
【請求項５】
前記アクセス制限された基地局装置を前記再接続セルとして選択可能と判断し、かつ、前記アクセス制限された基地局装置の送信信号が最良の受信品質である場合に、前記アクセス制限された基地局装置を前記再接続セルとして選択することを特徴とする請求項４記載の移動局装置。
【請求項６】
事前に登録された移動局装置および優先呼通信中の移動局装置と通信を行なうアクセス制限された基地局装置を含む移動通信システムに適用される移動局装置であって、
優先呼で通信中の基地局装置から、ハンドオーバー先の基地局装置として前記アクセス制限された基地局装置を選択可能であることを示す優先呼用制御情報を受信したときは、前記アクセス制限された基地局装置をハンドオーバー先セルとして選択可能と判断することを特徴とする移動局装置。
【請求項７】
事前に登録された移動局装置および優先呼通信中の移動局装置と通信を行なうアクセス制限された基地局装置を含む移動通信システムに適用される基地局装置であって、
前記移動局装置の通信の優先度を示すアクセスクラス情報に、呼種別として優先呼を示す情報が含まれていた場合、ハンドオーバー先の基地局装置として前記アクセス制限された基地局装置を選択可能であることを少なくとも示す優先呼用制御情報を生成する優先呼用制御情報生成部と、
前記優先呼用制御情報を前記移動局装置へ送信する送信部と、を備えることを特徴とする基地局装置。
【請求項８】
事前に登録された移動局装置および優先呼通信中の移動局装置と通信を行なうアクセス制限された基地局装置と、
請求項１から請求項５のいずれかに記載の移動局装置と、
基地局装置と、から構成されることを特徴とする移動通信システム。
【請求項９】
事前に登録された移動局装置および優先呼通信中の移動局装置と通信を行なうアクセス制限された基地局装置と、
請求項６記載の移動局装置と、
請求項７記載の基地局装置と、から構成されることを特徴とする移動通信システム。
【発明の詳細な説明】
【技術分野】
【０００１】
本発明は、通常時は事前に登録された移動局装置のみをアクセス可能とする一方、非通常時は未登録の移動局装置のアクセスを可能とする小型基地局装置を含む移動通信技術に関する。
【背景技術】
【０００２】
従来から、家庭やオフィスに設置される小型基地局装置の検討が進められている。小型基地局装置は、家庭内の固定回線などと接続し、通信エリアの拡大やユーザ固有のサービスを提供するために使用される。標準化団体３ＧＰＰ（3rd Generation Partnership Project）における小型基地局装置は、ホームノードＢ（またはホームイーノードＢ）と呼ばれる。ホームノードＢのうち、アクセス可能なユーザを事前に登録することによって、利用可能なユーザを制限したホームノードＢのことを特にＣＳＧ（Closed Subscriber Group）セルと呼ぶ（非特許文献１）。【０００３】
３ＧＰＰにおいて、第３世代の移動通信方式を進化させた「ＥＵＴＲＡ（Evolved Universal Terrestrial Radio Access）」、およびその発展形である「Ａｄｖａｎｃｅｄ  ＥＵＴＲＡ」におけるＣＳＧセルの検討が進められている。移動局装置は、加入者登録されたＣＳＧセル、登録されていないＣＳＧセル、および通常のセルを区別できないと、アクセス不可能なＣＳＧセルにアクセスを試みてしまい、消費電力や無線リソースを浪費することになる。【０００４】
また、移動局装置において登録されたＣＳＧセル以外のセルへのハンドオーバーは通常許可されないため、事前に移動局装置でセルの種別を把握しておく必要がある。移動局装置がＣＳＧセルと通常のセルを区別するための方法として、報知情報にＣＳＧセル識別子を含める方法（非特許文献２、６．３．１節）や、同期シグナルで判別されるセルＩＤで区別する方法（非特許文献３）や、ＣＳＧセルを通常のセルとは別の周波数に配置する方法（非特許文献４）などが提案されている。【０００５】
図１７は、周辺セルにＣＳＧセルが配置されているときの移動局装置の周辺セル測定と測定報告について示したシーケンスチャートの例を示す図である。移動局装置は、基地局装置（ソースセル）から同期シグナルｓ（ステップＳ１７０１）、下りリファレンスシグナルｓ（ステップＳ１７０２）、報知情報ｓ（ステップＳ１７０３）を受信した後に、ソースセルとの通信を開始（ステップＳ１７０４）しており、移動局装置とソースセルとは通信中状態（アクティブ状態）である。【０００６】
ここで、移動局装置は周辺に配置されているＣＳＧセルからＣＳＧセル情報を取得する（ステップＳ１７０５）。ＣＳＧセル情報とは、非特許文献２から４のいずれかの方法によって通常のセルとＣＳＧセルとを区別するために移動局装置がＣＳＧセルから送信される信号より得た情報である。例えば、非特許文献２では、ＣＳＧセル情報は、報知情報のＣＳＧセル識別子を意味する。同様に、非特許文献３、４では、それぞれ、ＣＳＧセル情報は、セルＩＤと周波数帯域に該当する。【０００７】
移動局装置は、周辺セル測定処理（ステップＳ１７０６）において、ＣＳＧセル識別子によってＣＳＧセルであると判断され、かつ、未登録のＣＳＧセルについては、周辺セル測定の対象基地局装置から除外し、無線シグナリングメッセージである測定報告を行なう場合に、測定報告メッセージにＣＳＧセルを含めずにソースセルに送信する（ステップＳ１７０７）。すなわち、移動局装置は、未登録のＣＳＧセルの下りリファレンスシグナルの測定処理を行なわない。【０００８】
図１８は、周辺セル測定処理における、移動局装置の動作を示したフローチャートの例を示す図である。移動局装置は、周辺セルから周辺セル信号を受信する（ステップＳ１８０１）。周辺セル信号を受信・復調した結果、ＣＳＧセル識別子によって未登録のＣＳＧセルが周辺セルに含まれるか否かを判定し（ステップＳ１８０２）、未登録のＣＳＧセルが含まれていた場合、未登録のＣＳＧセルについては、当該ＣＳＧセルの下りリファレンスシグナルの測定処理を停止する（ステップＳ１８０３）。一方、ステップＳ１８０２において、未登録のＣＳＧセルが含まれていない場合は、全ての周辺セルに対して測定シグナルの測定処理を実施する（ステップＳ１８０４）。
【先行技術文献】
【非特許文献】
【０００９】
【非特許文献１】3GPP TS36.300,Overall discription;Stage2.V8.4.0 http://www.3gpp.org/ftp/Specs/html-info/36300.htm
【非特許文献２】3GPP TS36.331,Radio Resource Control(RRC);Protocol specification.V8.1.0 http://www.3gpp.org/ftp/Specs/html-info/36331.htm
【非特許文献３】NTT DoCoMo,R2-073374,3GPP TSG-RAN2 Meeting #59,Athens,Greece,20-24th August 2007
【非特許文献４】Samsung,R2-073307,3GPP TSG-RAN2 Meeting #59,Athens,Greece,20-24th August 2007
【発明の概要】
【発明が解決しようとする課題】
【００１０】
上記のような従来の技術では、移動局装置が未登録のＣＳＧセルを報告しないことで不要なＣＳＧセルの測定やハンドオーバーが抑制され、移動局装置の電力消費が抑制される。しかしながら、従来の技術では、優先呼（緊急呼、緊急時通信）のような発呼時や、ハンドオーバー時に通常呼よりも優先すべき種別の通信であっても、ＣＳＧセルの測定結果が基地局装置に報告されないため、移動局装置は、近傍のＣＳＧセルの無線品質が良好な場合でもハンドオーバー先として選択することができなかった。その結果、カバレッジの範囲が縮小し、呼損や通話断が増加するという問題があった。【００１１】
本発明は、このような事情に鑑みてなされたものであり、優先呼のように、通常呼よりも優先すべき種別の通信が発生した場合に適したＣＳＧセルの測定方法を実現することができる移動局装置、基地局装置および移動通信システムを提供することを目的とする。
【課題を解決するための手段】
【００１２】
（１）上記の目的を達成するために、本発明は、以下のような手段を講じた。すなわち、本発明の移動局装置は、事前に登録された移動局装置および優先呼通信中の移動局装置と通信を行なうアクセス制限された基地局装置を含む移動通信システムに適用される移動局装置であって、通信中の前記移動局装置の移動制御に用いられる前記アクセス制限された基地局装置の送信信号の測定結果を測定報告情報として送信するか否かを、前記移動局装置の通信の優先度に基づいて判断することを特徴とする。【００１３】
（２）また、本発明の移動局装置において、前記通信の優先度が高い場合は、前記アクセス制限された基地局装置の送信信号の測定結果を測定報告情報として送信する一方、前記通信の優先度が低い場合は、前記アクセス制限された基地局装置の送信信号の測定結果を測定報告情報として送信しないことを特徴とする。【００１４】
（３）また、本発明の移動局装置において、再接続を行なう場合、再接続の直前に行なっていた前記通信の優先度に基づいて、前記アクセス制限された基地局装置を再接続セルとして選択可能か否かを判断することを特徴とする。【００１５】
（４）また、本発明の移動局装置において、前記通信の優先度が高い場合は、前記アクセス制限された基地局装置を前記再接続セルとして選択可能と判断する一方、前記通信の優先度が低い場合は、前記アクセス制限された基地局装置を前記再接続セルとして選択不可能と判断することを特徴とする。【００１６】
（５）また、本発明の移動局装置は、前記アクセス制限された基地局装置を前記再接続セルとして選択可能と判断し、かつ、前記アクセス制限された基地局装置の送信信号が最良の受信品質である場合に、前記アクセス制限された基地局装置を前記再接続セルとして選択することを特徴とする。【００１７】
（６）また、本発明の移動局装置は、事前に登録された移動局装置および優先呼通信中の移動局装置と通信を行なうアクセス制限された基地局装置を含む移動通信システムに適用される移動局装置であって、優先呼で通信中の基地局装置から、ハンドオーバー先の基地局装置として前記アクセス制限された基地局装置を選択可能であることを示す優先呼用制御情報を受信したときは、前記アクセス制限された基地局装置をハンドオーバー先セルとして選択可能と判断することを特徴とする。【００１８】
（７）また、本発明の基地局装置は、事前に登録された移動局装置および優先呼通信中の移動局装置と通信を行なうアクセス制限された基地局装置を含む移動通信システムに適用される基地局装置であって、前記移動局装置の通信の優先度を示すアクセスクラス情報に、呼種別として優先呼を示す情報が含まれていた場合、ハンドオーバー先の基地局装置として前記アクセス制限された基地局装置を選択可能であることを少なくとも示す優先呼用制御情報を生成する優先呼用制御情報生成部と、前記優先呼用制御情報を前記移動局装置へ送信する送信部と、を備えることを特徴とする。【００１９】
（８）また、本発明の移動通信システムは、事前に登録された移動局装置および優先呼通信中の移動局装置と通信を行なうアクセス制限された基地局装置と、上記（１）から（５）のいずれかに記載の移動局装置と、基地局装置と、から構成されることを特徴とする。【００２０】
（９）また、本発明の移動通信システムは、事前に登録された移動局装置および優先呼通信中の移動局装置と通信を行なうアクセス制限された基地局装置と、上記（６）記載の移動局装置と、上記（７）記載の基地局装置と、から構成されることを特徴とする。
【発明の効果】
【００２１】
本発明によれば、小型基地局装置との間の伝搬路状態の測定を行なうか否かを、通信の優先度に応じて選択するので、不要な小型基地局装置との間の伝搬路状態の測定やハンドオーバーが抑制され、移動局装置の電力消費が抑制される一方、必要な小型基地局装置との間の伝搬路状態の測定を行なうことができる。その結果、カバレッジの範囲を広げることができると共に、呼損や通話断を回避することが可能となる。
【図面の簡単な説明】
【００２２】
【図１】本発明の第１の実施形態に係る移動局装置の受信装置の一例を示すブロック図である。
【図２】本発明の第１の実施形態に係る移動局装置の送信装置の一例を示すブロック図である。
【図３】本発明の第１の実施形態に係る基地局装置の受信装置の一例を示すブロック図である。
【図４】本発明の第１の実施形態に係る基地局装置の送信装置の一例を示すブロック図である。
【図５】本発明の第１の実施形態に係る周辺セル測定と測定報告について示したシーケンスチャートである。
【図６】本発明の第１の実施形態の移動局装置における優先呼の発呼処理の処理手順を示したフローチャートである。
【図７】本発明の第１の実施形態の移動局装置における優先呼通信中での周辺セル測定処理の処理手順を示したフローチャートである。
【図８】本発明の第２の実施形態に係る移動局装置の受信装置の一例を示すブロック図である。
【図９】本発明の第２の実施形態に係る移動局装置の送信装置の一例を示すブロック図である。
【図１０】本発明の第２の実施形態に係る基地局装置の受信装置の一例を示すブロック図である。
【図１１】本発明の第２の実施形態に係る再接続セル選択と再接続要求について示したシーケンスチャートである。
【図１２】本発明の第２の実施形態の移動局装置における再接続セル選択処理の処理手順を示したフローチャートである。
【図１３】本発明の第２の実施形態に係る優先呼終了時セル選択について示したシーケンスチャートである。
【図１４】本発明の第２の実施形態の移動局装置における優先呼終了時セル選択処理の処理手順を示したフローチャートである。
【図１５】本発明の第３の実施形態に係る基地局装置の送信装置の一例を示すブロック図である。
【図１６】本発明の第３の実施形態における周辺セル測定処理の処理手順について示したシーケンスチャートである。
【図１７】従来の周辺セル測定と測定報告について説明したシーケンスチャートである。
【図１８】従来の移動局装置における通信中での周辺セル測定処理の処理手順を示したフローチャートである。
【発明を実施するための形態】
【００２３】
次に、本発明に係る実施形態について、図面を参照しながら説明する。ＥＵＴＲＡおよびＡｄｖａｎｃｅｄ  ＥＵＴＲＡで使用される物理チャネルは、報知情報チャネル、上りデータチャネル、下りデータチャネル、下り共用制御チャネル、上り共用制御チャネル、ランダムアクセスチャネル、同期シグナル、下りリファレンスシグナルなどがある。物理チャネルは、今後追加、または、チャネル構造が変更される可能性もあるが、本発明の各実施形態の説明には影響しないため、その説明を省略する。また、リファレンスシグナルとしては、下りリファレンスシグナルと上りリファレンスシグナルがある。本発明の各実施形態に関わる物理チャネルは、同期シグナルと報知情報チャネル、下りリファレンスシグナルであるため、それ以外の物理チャネルの詳細な説明は省略する。
【００２４】
同期シグナル（Synchronization Signal）は、移動局装置が基地局装置を高速に検出するために使用される。同期シグナルは、３種類のプライマリ同期シグナルと３１種類の符号を互い違いに配置したセカンダリ同期シグナルとで構成され、プライマリ同期シグナルとセカンダリ同期シグナルの信号の組み合わせによって、基地局装置を識別する５０４通りのセルＩＤと、無線同期のためのフレームタイミングを示す。
【００２５】
報知情報チャネル（ＢＣＨ：Broadcast Channel）は、セル内の移動局装置で共通に用いられる制御パラメータを通知する目的で送信される。さらに、ＢＣＨはＰ−ＢＣＨ（Primary BCH）とＤ−ＢＣＨ（Dynamic BCH）とに分類される。Ｐ−ＢＣＨとは、時間的・周波数的に所定の周期で送信することが予め決められているため、移動局装置は、セルＩＤが同定されたセルのＰ−ＢＣＨを受信することが可能である。一方、Ｄ−ＢＣＨとは、下り共用制御チャネルで送信リソースが通知され、セル毎に送信リソースを可変にすることも可能である。Ｄ−ＢＣＨには、少なくともセルＩＤよりも数が大きく、セル毎に一つだけ割り振られるグローバルＩＤ（グローバルセルＩＤとも呼ばれる）と、エリア情報（トラッキングエリアまたはトラッキングエリアＩＤとも呼ばれる）とが含まれる。
【００２６】
下りリファレンスシグナルは、セル毎に原則として所定の電力で送信されるパイロットシグナルである。また、下りリファレンスシグナルは、所定の時間間隔（例えば、１フレーム）で周期的に繰り返される信号である。移動局装置は、所定の時間間隔において下りリファレンスシグナルを受信し、受信品質を測定することによって、セル毎の受信品質の判断に用いる。また、下りリファレンスシグナルと同時に送信される下りデータの復調のための参照用の信号として用いる。下りリファレンスシグナルに使用される系列は、セル毎に一意に識別可能な系列であれば、任意の系列を用いても良い。なお、下りリファレンスシグナルはＤＬ−ＲＳ（Downlink Reference signal）と記載される場合もあるが、その用途と意味は同じである。
【００２７】
（第１の実施形態）
図１は、本発明の第１の実施形態に係る移動局装置の受信装置の一例を示すブロック図である。この受信装置１００は、受信部１０１、受信信号処理部１０２、セル情報管理部１０３、測定情報管理部１０４、およびアンテナ１０５から構成される。受信信号（基地局装置からの送信信号）は、アンテナ１０５を介して受信部１０１において受信される。受信部１０１において、受信信号は、チャネルスケジュールを示す受信制御情報を基に復調される。受信制御情報は、各チャネルに関する受信タイミング、多重方法、リソース配置情報や復調に関する情報が含まれている。受信制御情報に従い、受信部１０１は、受信信号をチャネル毎に復調・復号化し、受信信号処理部１０２へ出力する。
【００２８】
セル情報管理部１０３には、セル情報とセル種別判定情報が入力される。セル情報とは、移動局装置が登録されたＣＳＧセルを一意に特定可能な情報と、通常のセルとＣＳＧセルとを識別するためのセル種別判定情報からなる。移動局装置が登録されたＣＳＧセルはリスト化され、例えば、エリア情報、ＣＳＧセルＩＤ（ＣＳＧＩＤとも呼ばれる）、周波数、帯域幅、グローバルＩＤ、通信方式、ＧＰＳ情報、ＩＰアドレスなどの情報の全部または一部が含まれる。これらの情報は、移動局装置が登録されているＣＳＧセルが複数あれば、複数セット用意されていても良く、さらに、その登録方法は任意の方法を用いて良い。なお、移動局装置がセル情報の格納先として好適な場所は、ＳＩＭ（Subscriber Identity Module：加入者識別モジュール）カード内のメモリが好適であるが、これに限らない。
【００２９】
また、セル種別判定情報とは、ＣＳＧセルと通常のセルとを区別するための情報からなる。例えば、ＣＳＧセルにのみ用いられるセルＩＤ、周波数帯域、報知情報から得られたＣＳＧセル識別子とセルＩＤとの対応関係などの情報の全部または一部が含まれる。セル情報管理部１０３は、これらの情報を受信信号処理部１０２に出力する。
【００３０】
さらに、受信信号処理部１０２には、必要に応じて移動局装置アクセスクラス情報が入力される。移動局装置アクセスクラス情報とは、移動局装置が通信を行なう場合の優先度を決めるための情報である。例えば、オペレータがメンテナンス用に使用する専用の移動局装置は、一般市販用の移動局装置よりも高い優先度が設定される。また、呼種別によっても優先度が設定され、優先呼（日本であれば１１０番や１１９番などの緊急呼など）の優先度は、通常の通信よりも高く設定される。優先度が高いほど発呼時の送信待ち時間が少なく、無線リソースも優先的に割当てられる。それ以外にも、より高い送信電力や受信電力でデータ通信を行なうなどといった、通常呼とは異なる通信制御が適用される。
【００３１】
受信信号処理部１０２は、受信部１０１からの入力信号をチャネル毎に適切に処理し、特に、入力された移動局装置アクセスクラス情報と、セル情報とセル種別判定情報とに基づく測定処理を実施することで、必要な測定情報を測定情報管理部１０４へ出力する。この「測定情報」とは、同期シグナルから検出したセルＩＤや下りリファレンスシグナルの受信品質、報知情報から得たエリア情報などである。受信信号処理部１０２は、移動局装置アクセスクラス情報によって、ＣＳＧセルの測定情報を取得するかどうかを判断する。
【００３２】
受信信号処理部１０２で処理される測定情報以外の情報、例えば、ユーザのトラフィックデータや下り制御データなどは、その他の情報として個別の処理ブロックに入力されるが、これらは本発明に関係ないため説明を省略する。
【００３３】
測定情報管理部１０４は、測定情報をセル毎に管理し、適切なタイミングで測定結果情報として上位レイヤに通知する。
【００３４】
図２は、本発明の第１の実施形態に係る移動局装置の送信装置の一例を示すブロック図である。送信装置２００は、測定報告メッセージ生成部２０１、送信信号処理部２０２、送信部２０３、およびアンテナ２０４から構成される。測定報告メッセージ生成部２０１には、上位レイヤの指示に従い、適切なタイミングで測定報告情報が入力される。測定報告メッセージ生成部２０１は、測定報告情報を基に、測定報告メッセージを生成して送信信号処理部２０２へ出力する。
【００３５】
送信信号処理部２０２は、測定報告メッセージ生成部２０１からの測定報告メッセージと、その他の送信信号に対して適切なスケジューリングを行なう。その他の送信信号とは、上りユーザトラフィックデータや、上り制御データ、上りリファレンスシグナルなどである。送信信号処理部２０２からスケジューリングに基づき出力されるデータは、送信部２０３において、送信制御情報に従い、送信信号としてアンテナ２０４を介して出力される。送信制御情報は、各チャネルに関する送信タイミング、多重方法、リソース配置情報や変調に関する情報が含まれている。
【００３６】
なお、図１および図２において、その他の移動局装置の構成要素は本実施形態に関係ないため、その説明を省略する。
【００３７】
図３は、本発明の第１の実施形態に係る基地局装置の受信装置の構成の一例を示すブロック図である。受信装置３００は、受信部３０１、受信信号処理部３０２、測定報告メッセージ処理部３０３、およびアンテナ３０４から構成される。受信信号（移動局装置からの送信信号）は、アンテナ３０４を介して受信部３０１において受信される。受信部３０１において、受信信号はチャネルスケジュールを示す受信制御情報を基に復調される。受信制御情報は、移動局装置毎の各チャネルに関する受信タイミング、多重方法、リソース配置情報や復調に関する情報が含まれている。受信制御情報に従い、受信部３０１は、受信信号をチャネル毎に復調・復号化し、受信信号処理部３０２へ出力する。また、受信信号処理部３０２には、移動局装置情報が入力される。移動局装置情報には、移動局装置アクセスクラス情報が含まれる。
【００３８】
受信信号処理部３０２は、入力信号を移動局装置毎に分け、さらに、チャネル毎に適切に処理する。入力信号が測定報告メッセージであるとき、測定報告メッセージは、測定報告メッセージ処理部３０３へ出力される。受信信号処理部３０２で処理される測定報告メッセージ以外の信号、例えば、ユーザのトラフィックデータや上り制御データ、その他の制御メッセージなどは、その他の情報として個別の処理ブロックに入力されるが、これらは本発明に関係ないため、その説明を省略する。
【００３９】
測定報告メッセージ処理部３０３は、測定報告メッセージに含まれるセル情報と下りリファレンスシグナルの品質情報を含む測定報告情報を出力する。
【００４０】
図４は、本発明の第１の実施形態に係る基地局装置の送信装置の一例を示すブロック図である。送信装置４００は、ＣＧＳセル情報生成部４０１、アクセス制限情報管理部４０２、送信信号処理部４０３、送信部４０４、およびアンテナ４０５から構成される。ＣＳＧセル情報生成部４０１には、セル種別情報が入力される。セル種別情報とは、基地局装置がＣＳＧセルか通常のセルかを判断するための情報である。ＣＳＧセル情報生成部４０１は、セル種別情報がＣＳＧセルであった場合、ＣＳＧセル情報を生成し、送信信号処理部４０３へ出力する。ＣＳＧセルで無い場合（通常のセルの場合）は何もしない。
【００４１】
ここで、ＣＳＧセル情報とは、移動局装置が当該基地局装置をＣＳＧセルであると判断可能な情報であれば良く、その内容は任意でよい。例えば、同期シグナルを生成するためのセルＩＤ情報でも良く、報知情報に含めるＣＳＧセル識別子情報でもよく、また、送信周波数帯域の情報でもよい。
【００４２】
アクセス制限情報管理部４０２は、当該基地局装置でアクセス制限される移動局装置の情報が事前に登録されており、アクセス制限される移動局装置の情報は、報知情報に設定される。送信信号処理部４０３には、ＣＳＧセル情報とアクセス制限される移動局装置の情報が入力される。送信信号処理部４０３は、ＣＳＧセル情報生成部４０１からのＣＳＧセル情報に基づき生成される送信信号と、その他の送信信号に対して適切なスケジューリングを行なう。その他の送信信号とは、各移動局装置の下りユーザトラフィックデータや下り制御データ、下りリファレンスシグナルなどである。
【００４３】
送信信号処理部４０３からスケジューリングに基づいて出力されるデータは、送信部４０４において送信制御情報に従い、送信信号としてアンテナ４０５を介して出力される。送信制御情報は、各チャネルに関する送信タイミング、多重方法、リソース配置情報や変調に関する情報が含まれている。
【００４４】
なお、図３および図４において、その他の基地局装置の構成要素は本発明に関係ないためその説明を省略する。
【００４５】
図５は、優先呼での通信中状態における周辺セル測定手順と測定報告手順について示したシーケンスチャートである。ここで、移動局装置は、基地局装置（ソースセル）に属している。また、移動局装置は、ソースセル（ｃｅｌｌ＿Ａ）より同期シグナルｓ（ステップＳ５０１）、下りリファレンスシグナルｓ（ステップＳ５０２）、報知情報ｓ（ステップＳ５０３）を受信し、さらに、ＣＳＧセル（ｃｅｌｌ＿Ｂ）からＣＳＧセル情報を取得する（ステップＳ５０４）。図５では、簡略化のためにＣＳＧセル情報がＣＳＧセルｃｅｌｌ＿Ｂから送信されているように記載しているが、ＣＳＧセル情報というメッセージが実際に送信されるわけではなく、物理的、または制御パラメータによって通常のセルとＣＳＧセルとを移動局装置が識別可能なようにＣＳＧセルから送信される情報であり、その形式および使用される物理チャネルは任意で良い。例えば、同期シグナルによって通知されるセルＩＤ情報でも良く、報知情報チャネルによって通知される報知情報に含まれるＣＳＧセル識別子情報でも良く、あるいは検出した同期シグナルの周波数帯域の情報であっても良い。また、ｃｅｌｌ＿Ａ〜Ｂはそれぞれ別の周波数に配置されていても、別の通信方式であっても良い。
【００４６】
移動局装置は、ＣＳＧセル情報からｃｅｌｌ＿ＢがＣＳＧセルであると判断した後は、ＣＳＧセルｃｅｌｌ＿Ｂからの送信信号（下り物理チャネル）についての復号・復調処理を停止してもよい。すなわち、この時点で移動局装置が測定の対象とする下りリファレンスシグナルはソースセルｃｅｌｌ＿Ａからの下りリファレンスシグナルｓのみとなる。
【００４７】
ここで、移動局装置が優先呼の発呼要求により、発呼処理（優先呼）を行なう（ステップＳ５０５）。発呼処理（優先呼）が成功し、ソースセルｃｅｌｌ＿Ａと通信中（アクティブ状態）の状態となった移動局装置は（ステップＳ５０６）、全ての検出した周辺セルの下りリファレンスシグナルを測定の対象とするように制御を変更する。すなわち、この時点で移動局装置が測定の対象とする下りリファレンスシグナルはソースセルｃｅｌｌ＿Ａからの下りリファレンスシグナルｓ（ステップＳ５０７）と、ＣＳＧセルｃｅｌｌ＿Ｂからの下りリファレンスシグナルｃｓｇ（ステップＳ５０８）となる。
【００４８】
移動局装置は、下りリファレンスシグナルに基づく周辺セル測定を行ない（ステップＳ５０９）、得られた測定結果を測定報告メッセージに含めてソースセルｃｅｌｌ＿Ａに送信する（ステップＳ５１０）。なお、図５において、ＣＳＧセルから送信されるその他のチャネルについては省略している。
【００４９】
次に、図５における移動局装置の発呼処理（優先呼）、周辺セル測定の手順の詳細を図６〜図７にそれぞれ示す。図６は、移動局装置における発呼処理（優先呼）の処理手順の一例を示したフローチャートである。移動局装置は、優先呼の発呼を行なう場合に、事前に定義されている優先呼用のアクセスクラス設定を行なう（ステップＳ６０１）。また、キャンプしている基地局装置（ソースセル）において、設定したアクセスクラスが禁止されているかどうかを、ソースセルの報知情報に設定されているアクセス制限情報から確認する。
【００５０】
優先呼が禁止されているかどうかを判断し（ステップＳ６０２）、禁止されていた場合（試験用セルや工事中セルなど）は、発呼失敗と判断して（ステップＳ６０３）、処理を終了する。一方、ステップＳ６０２において、優先呼が禁止されていない場合は、そのまま発呼手順（優先呼）を開始する（ステップＳ６０４）。移動局装置は、発呼手順（優先呼）中において、設定したアクセスクラスの情報を無線シグナリングメッセージ（例えばレイヤ３メッセージ）に含めて基地局装置に送信する。
【００５１】
図７は、本発明における移動局装置の周辺セル測定の処理手順の一例を示したフローチャートである。移動局装置は、周辺セル信号受信において、周辺セル（ソースセル含む）からの信号を受信する（ステップＳ７０１）。次に、セル情報の読み出しの可否を判断する（ステップＳ７０２）。セル情報が読み出せた場合は、呼種別の判定を行なう（ステップＳ７０３）。通常呼による通信中の場合、ＣＳＧセルが周辺セルに配置されており、かつ受信信号に未登録のＣＳＧセルの信号が含まれているか否かを、ＣＳＧセル情報を基に判定する（ステップＳ７０４）。
【００５２】
ステップＳ７０４において、未登録のＣＳＧセルが周辺セルに配置されている場合、測定処理としては、検出したセルのうち、ＣＳＧ情報によって識別された未登録のＣＳＧセル以外の周辺セルの下りリファレンスシグナルに基づく測定処理を行なう（ステップＳ７０５）。
【００５３】
一方、ステップＳ７０２において、セル情報を読み出せない場合、例えばＳＩＭカードが移動局装置に挿入されていない場合などは、登録されたＣＳＧセルであるかのどうかの判断ができず、かつ、このとき移動局装置が許可される通信は優先呼のみであるため、検出した全てのセルの下りリファレンスシグナルに基づく測定処理を行なう（ステップＳ７０６）。同様に、ステップＳ７０３において、優先呼による通信中である場合、またはステップＳ７０４において、未登録のＣＳＧセルが周辺セルに配置されていない場合は、ＣＳＧセル情報に関係なく、検出した全てのセルの下りリファレンスシグナルに基づく測定処理を行なう（ステップＳ７０６）。なお、図７に示すフローチャートは、移動局装置の処理手順の一例であって、移動局装置がＣＳＧセル情報と呼種別によって測定処理を切り替えるための判断を行ない、前記判断に基づいて、測定対象とするセルにＣＳＧセルを含むか否かを決定する方法であれば、これ以外の処理手順が用いられても良い。
【００５４】
更に、移動局装置の移動速度に基づいて、未登録のＣＳＧセルを測定対象に含めるかどうかを判断することも可能である。例えば、ステップＳ７０６の直前に、移動局装置が停止または低速移動中かどうかを判断し、停止または低速移動中であれば、未登録のＣＳＧセルを含む全ての周辺セルの下りリファレンスシグナルに基づく測定処理を行なうステップを加えることも可能である。また、逆に高速移動中であれば、登録済みであってもＣＳＧセルの測定処理を行わないというステップを加えることも可能である。また、基地局装置より周辺セルとしてハンドオーバー先として不適切なセルのリスト（ブラックリストとも呼ばれる）が通知されている場合は、前記不適切なセルに対する測定処理を停止してもよい。
【００５５】
以上説明したように、第１の実施形態によれば、移動局装置は、通常呼の通信状態においては周辺に配置されている未登録のＣＳＧセルの受信処理と測定処理を行なわず、測定報告メッセージに未登録のＣＳＧセルの測定報告情報を含めずに送信する。さらに、優先呼での通信中状態においては、未登録であってもＣＳＧセルの下り信号の受信処理と測定処理を行ない、測定報告メッセージに未登録のＣＳＧセルの測定報告情報を含めて送信する。また、基地局装置は、移動局装置が送信する測定報告メッセージを受信し、測定報告情報に基づきハンドオーバーなどの移動局装置の移動制御を決定する。
【００５６】
第１の実施形態により、移動局装置は、移動局装置の状態に基づき適切な周辺セル測定処理を行なうことが可能となり、優先呼でない場合は不要な測定報告情報を基地局装置に送信しないため、移動局装置の測定効率が向上し、消費電力が削減される。さらに、優先呼では、未登録のＣＳＧセルをハンドオーバー先として測定報告に含めることが可能となり、通話断の回数を減らすことができる。また、基地局装置において、移動局装置が未登録のＣＳＧセルを測定報告メッセージで報告することが無くなり、ハンドオーバー可能セルかどうかを毎回判断する必要がなくなるため、計算処理が簡単になる。また、不要な測定報告のために無線リソースを割り当てる必要がなくなるため、無線リソースの利用効率が向上する。
【００５７】
（第２の実施形態）
次に、本発明の第２の実施形態について以下に説明する。第２の実施形態は、優先呼の通信が終了（正常終了、再接続）した場合の測定方法と、測定方法に基づいて最良の周辺セルを決定する方法を提供する。
【００５８】
図８は、本発明の第２の実施形態に係る移動局装置の受信装置の一例を示すブロック図である。受信装置８００は、受信部８０１、受信信号処理部８０２、セル情報管理部８０３、測定情報管理部８０４、再接続セル選択部８０５、およびアンテナ８０６から構成される。図１との違いは、報知情報から取得されるアクセス制限情報が再接続セル選択部８０５に入力され、また、受信信号処理部８０２より出力される測定情報が測定情報管理部８０４と再接続セル選択部８０５の両方に入力される点である。それ以外のブロックについては、図１と同じであるため説明を省略する。
【００５９】
再接続セル選択部８０５に入力されるアクセス制限情報とは、基地局装置の報知情報に含まれており、所定のアクセスクラス以外の移動局装置は、キャンプまたは通信を禁止したり、逆に所定のアクセスクラスの移動局装置のみキャンプまたは通信を許可したりするために使用される情報であり、制限されるアクセスクラスの情報と、制限時間で構成される。
【００６０】
受信信号処理部８０２は、移動局装置アクセスクラス情報、セル情報、セル種別判定情報を基に、再接続セルを選択するために必要な測定情報を再接続セル選択部８０５へ出力する。再接続セル選択部８０５は、測定情報で示されたセルのアクセス制限情報に基づいて最良の再接続セルを選択し、再接続セル情報を出力する。
【００６１】
図９は、本発明の第２の実施形態に係る移動局装置の送信装置の一例を示すブロック図である。送信装置９００は、再接続要求メッセージ生成部９０１、送信信号処理部９０２、送信部９０３、およびアンテナ９０４から構成される。再接続要求メッセージ生成部９０１には、上位レイヤの指示に従い適切なタイミングで再接続要求メッセージ情報（再接続前セルＩＤや、移動局装置アクセスクラス情報など）が入力される。再接続要求メッセージ生成部９０１は、再接続要求メッセージ情報を基に再接続要求メッセージを生成して送信信号処理部９０２へと出力する。
【００６２】
送信信号処理部９０２は、再接続要求メッセージ生成部９０１からの再接続要求メッセージと、その他の送信信号に対して適切なスケジューリングを行なう。その他の送信信号とは、上りユーザトラフィックデータや上り制御データ、上りリファレンスシグナルなどである。送信信号処理部９０２からスケジューリングに基づき出力されるデータは、送信部９０３において送信制御情報に従い、送信信号としてアンテナ９０４を介して出力される。送信制御情報は、各チャネルに関する送信タイミング、多重方法、リソース配置情報や変調に関する情報が含まれている。
【００６３】
なお、図８および図９において、その他の移動局装置の構成要素は本実施形態に関係ないため、その説明を省略する。
【００６４】
図１０は、本発明の第２の実施形態による基地局装置の受信装置の構成の一例を示すブロック図である。受信装置１０００は、受信部１００１、受信信号処理部１００２、再接続要求メッセージ処理部１００３、およびアンテナ１００４から構成される。受信信号（移動局装置からの送信信号）は、アンテナ１００４を介して受信部１００１において受信される。受信部１００１において、受信信号は、チャネルスケジュールを示す受信制御情報を基に復調される。受信制御情報は、移動局装置毎の各チャネルに関する受信タイミング、多重方法、リソース配置情報や復調に関する情報が含まれている。受信制御情報に従い、受信部１００１は、受信信号をチャネル毎に復調・復号化し、受信信号処理部１００２へと出力する。また、受信信号処理部１００２には移動局装置情報が入力される。移動局装置情報には移動局装置アクセスクラス情報が含まれる。
【００６５】
受信信号処理部１００２は、入力信号を移動局装置毎に分け、さらに、チャネル毎に適切に処理する。入力信号が再接続要求メッセージであるとき、再接続要求メッセージは再接続要求メッセージ処理部１００３へ出力される。受信信号処理部１００２で処理される再接続要求メッセージ以外の信号、例えば、ユーザのトラフィックデータや上り制御データ、その他の制御メッセージなどは、その他の情報として個別の処理ブロックに入力されるが、これらは本発明に関係ないため、その説明を省略する。再接続要求メッセージ処理部１００３は、再接続要求メッセージから再接続情報（再接続前セルＩＤや移動局装置アクセスクラス情報など）を出力する。
【００６６】
なお、図１０において、その他の基地局装置の構成要素は本発明に関係ないため省略してある。また、基地局装置の送信装置は、第１の実施形態の図４と同じ構成を採ることができる。
【００６７】
優先呼の通信の終了には、正常に通信が終了する場合の他に、無線品質の劣化による下り同期外れに伴い通信が終了する場合が考えられる。このとき、移動局装置は無線接続を再確立するために、再接続セル選択と再接続要求から成る再接続手順を開始する。図１１は、優先呼での通信中状態で、同期外れが発生した場合における再接続セル選択の処理手順と再接続要求手順について示したシーケンスチャートである。ここでは、移動局装置は、基地局装置（ソースセルｃｅｌｌ＿Ａ）に属しており、優先呼で通信中状態であるとする（ステップＳ１１０１）。
【００６８】
図１１において、無線環境の劣化により同期外れが発生したとする（ステップＳ１１０２）。このとき、移動局装置は、全ての周辺セル（ソースセル含む）からの信号を受信し、最良の受信品質のセルに対して再接続を試みる。すなわち、図１１に示すように、ソースセルｃｅｌｌ＿Ａ、ＣＳＧセルｃｅｌｌ＿Ｂ、周辺セルｃｅｌｌ＿Ｃが存在する場合、移動局装置は、ソースセルｃｅｌｌ＿Ａより、同期シグナルｓ（ステップＳ１１０３）、下りリファレンスシグナルｓ（ステップＳ１１０４）、報知情報ｓ（ステップＳ１１０５）を受信する。ＣＳＧセル（ｃｅｌｌ＿Ｂ）より、同期シグナルｃｓｇ（ステップＳ１１０６）、下りリファレンスシグナルｃｓｇ（ステップＳ１１０７）、報知情報ｃｓｇ（ステップＳ１１０８）を受信する。
【００６９】
また、周辺セルｃｅｌｌ＿Ｃより、同期シグナルｎ（ステップＳ１１０９）、下りリファレンスシグナルｎ（ステップＳ１１１０）、報知情報ｎ（ステップＳ１１１１）を受信する。このとき、移動局装置は、ＣＳＧセル情報を取得した場合であっても、同期外れ前の呼種別が優先呼であれば、ＣＳＧセルからの信号を受信し、下りリファレンスシグナルｃｓｇに対して測定処理を行なう。そして、再接続セル選択処理に基づき、下り測定品質が最良のセルを選択し（ステップＳ１１１２）、選択されたセルに対して再接続要求メッセージを送信する（ステップＳ１１１３）。
【００７０】
なお、図１１は、ＣＳＧセルｃｅｌｌ＿Ｂを最良セルとした場合の例を示している。また、実際には再接続要求メッセージの前にランダムアクセス手順が必要であるが、図１１では、簡略化のために省略している。また、ｃｅｌｌ＿Ａ〜Ｃはそれぞれ別の周波数に配置されていても、別の通信方式であっても良い。
【００７１】
図１２は、図１１における移動局装置の再接続セル選択の処理手順の一例を示したフローチャートである。移動局装置は、任意の基地局装置（ソースセル）と優先呼による通信中に下り同期外れが発生したことを検出すると、まず、下り同期外れが発生した時点での最良セルを選択し、再接続を行なうために周辺セル（ソースセル含む）からの信号を受信する（ステップＳ１２０１）。次に、セル情報の読み出しの可否を判断する（ステップＳ１２０２）。セル情報が読み出せた場合は、続いて再接続の直前に通信していた呼の優先度に基づく呼種別の判定を行なう（ステップＳ１２０３）。直前の呼種別が通常呼であった場合、ＣＳＧセルが周辺セルに配置されており、かつ受信信号に未登録のＣＳＧセルの信号が含まれているか否かを、ＣＳＧセル情報を基に判定する（ステップＳ１２０４）。
【００７２】
ステップＳ１２０４において、未登録のＣＳＧセルが周辺セルに配置されている場合、測定処理としては、検出したセルのうち、ＣＳＧ情報によって識別された未登録のＣＳＧセル以外の周辺セルの下りリファレンスシグナルに基づく測定処理を行なう（ステップＳ１２０５）。
【００７３】
一方、ステップＳ１２０２において、セル情報を読み出せない場合、例えばＳＩＭカードが移動局装置に挿入されていない場合などは、登録されたＣＳＧセルであるかのどうかの判断ができず、かつ、このとき移動局装置が許可される通信は優先呼のみであるため、検出した全てのセルの下りリファレンスシグナルに基づく測定処理を行なう（ステップＳ１２０６）。同様に、ステップＳ１２０３において、直前の呼種別が優先呼であった場合、または、ステップＳ１２０４において、未登録のＣＳＧセルが周辺セルに配置されていない場合、ＣＳＧセル情報に関係なく検出した全てのセルの下りリファレンスシグナルに基づく測定処理を行なう（ステップＳ１２０６）。次に、上記いずれかの測定処理で得られた結果を基に、最良セル選択において、最良のセルを一つ選択する（ステップＳ１２０７）。次に、選択された最良セルのアクセス制限情報と移動局装置アクセスクラス情報とを比較し（ステップＳ１２０８）、当該アクセスクラスでの通信が禁止されている場合は、次に良好なセルを最良セルとして選択しなおし（ステップＳ１２０９）、禁止セルかどうかの確認処理を繰り返す。一方、ステップＳ１２０８において、当該アクセスクラスでの通信が最良セルで禁止されていない場合は、選択したセルを再接続セルとして確定し、処理を終了する。
【００７４】
なお、図１２に示すフローチャートは、移動局装置の処理手順の一例であって、移動局装置がＣＳＧセル情報と呼種別によって測定処理を切り替えるための判断を行ない、前記判断に基づいて、測定対象とするセルにＣＳＧセルを含むか否かを決定し、さらに、測定した結果最良セルと判断したセルがアクセス禁止かどうかを判断可能な方法であれば、これ以外の処理手順が用いられても良い。更に、移動局装置の移動速度に基づいて、未登録のＣＳＧセルを測定対象に含めるかどうかを判断することも可能である。例えば、ステップＳ１２０６の直前に、移動局装置が停止または低速移動中かどうかを判断し、停止または低速移動中であれば、未登録のＣＳＧセルを含む全ての周辺セルの下りリファレンスシグナルに基づく測定処理を行なうステップを加えることも可能である。また、逆に高速移動中であれば、登録済みであってもＣＳＧセルの測定処理を行わないというステップを加えることも可能である。また、基地局装置より周辺セルとして再接続先として不適切なセルのリスト（ブラックリストとも呼ばれる）が通知されている場合は、前記不適切なセルに対する測定処理を停止してもよい。また、更に優先呼で通信中に、ネットワーク指示のハンドオーバー手順や回線交換網への切り替え制御手順を行なう場合においても、図１２と同様の手順を適用することが可能である。
【００７５】
図１３は、優先呼の通信が正常に終了した後のセル優先呼終了時セル選択手順について示したシーケンスチャートであり、移動局装置は基地局装置（ソースセルｃｅｌｌ＿Ａ）に属しており、優先呼で通信中状態であるとする（ステップＳ１３０１）。ここで、レイヤ３シグナリングメッセージによる無線接続の解放要求により、優先呼での通信が終了したとする（ステップＳ１３０２）。このとき、移動局装置は、ＣＳＧセルとそれ以外の通常のセルとを識別しつつ、ＣＳＧセル以外のセルの下りリファレンスシグナルの測定を行なう。すなわち、図１３に示すように、ソースセルｃｅｌｌ＿Ａ、ＣＳＧセルｃｅｌｌ＿Ｂ、周辺セルｃｅｌｌ＿Ｃが存在する場合、移動局装置は、ソースセルｃｅｌｌ＿Ａより同期シグナルｓ（ステップＳ１３０３）、下りリファレンスシグナルｓ（ステップＳ１３０４）、報知情報ｓ（ステップＳ１３０５）を受信する。また、周辺セルｃｅｌｌ＿Ｃより同期シグナルｎ（ステップＳ１３０７）、下りリファレンスシグナルｎ（ステップＳ１３０８）、報知情報ｎ（ステップＳ１３０９）を受信する。また、移動局装置は、ＣＳＧセルｃｅｌｌ＿ＢよりＣＳＧセル情報を受信し（ステップＳ１３０６）し、ｃｅｌｌ＿ＢがＣＳＧセルであると判断した後は、ＣＳＧセルｃｅｌｌ＿Ｂからの送信信号（下り物理チャネル）の受信処理を停止してもよい。
【００７６】
図１３では、簡略化のためにＣＳＧセル情報がＣＳＧセルｃｅｌｌ＿Ｂから送信されているように記載しているが、ＣＳＧセル情報というメッセージが実際に送信されるわけではなく、物理的、または制御パラメータによって通常のセルとＣＳＧセルとを移動局装置が識別可能なようにＣＳＧセルから送信される情報であり、その形式および使用される物理チャネルは任意で良い。例えば、同期シグナルによって通知されるセルＩＤ情報でも良く、報知情報チャネルによって通知される報知情報に含まれるＣＳＧセル識別子情報でも良く、あるいは検出した同期シグナルの周波数帯域の情報であっても良い。なお、図１３において、ＣＳＧセルから送信されるその他のチャネルについては省略している。
【００７７】
移動局装置は、優先呼終了時セル選択処理に基づき、ＣＳＧセル以外で下り測定品質が最良のセルを選択し（ステップＳ１３１０）、選択されたセルに対してキャンプを試みる。また、ｃｅｌｌ＿Ａ〜Ｃはそれぞれ別の周波数に配置されていても、別の通信方式であっても良い。
【００７８】
図１４は、本発明における移動局装置が優先呼の通信を正常終了した時に行なう優先呼終了時セル選択処理手順の一例を示したフローチャートである。移動局装置は、優先呼の通信終了後の周辺セル信号受信において、周辺セル（ソースセル含む）からの信号を受信する（ステップＳ１４０１）。次に、セル情報の読み出しの可否を判断する（ステップＳ１４０２）。セル情報が読み出せた場合は、ＣＳＧセルが周辺セルに配置されており、かつ受信信号に未登録のＣＳＧセルの信号が含まれているか否かを、ＣＳＧセル情報を基に判定する（ステップＳ１４０３）。ステップＳ１４０３において、未登録のＣＳＧセルが周辺セルに配置されている場合、測定処理としては、検出したセルのうち、ＣＳＧ情報によって識別された未登録のＣＳＧセル以外の周辺セルの下りリファレンスシグナルに基づく測定処理を行なう（ステップＳ１４０４）。
【００７９】
一方、ステップＳ１４０２において、セル情報を読み出せない場合、例えばＳＩＭカードが移動局装置に挿入されていない場合などは、登録されたＣＳＧセルであるかのどうかの判断ができないため、検出した全てのセルの下りリファレンスシグナルに基づく測定処理を行なう（ステップＳ１４０５）。同様に、ステップＳ１４０３において、未登録のＣＳＧセルが周辺セルに配置されていない場合、ＣＳＧセル情報に関係なく検出した全てのセルの下りリファレンスシグナルに基づく測定処理を行なう（ステップＳ１４０５）。
【００８０】
移動局装置は、ステップＳ１４０４、またはステップＳ１４０５の測定処理によって得られた測定結果に基づき、最も測定品質が高いセルを最良セルとして選択する（ステップＳ１４０６）。次に、選択された最良セルのアクセス制限情報と移動局装置アクセスクラス情報とを比較し（ステップＳ１４０７）、当該アクセスクラスでの通信が禁止されている場合は、次に良好なセルを最良セルとして選択しなおし（ステップＳ１４０８）、禁止セルかどうかの判定を繰り返す。一方、ステップＳ１４０７において、当該アクセスクラスでの通信が最良セルで禁止されていない場合は、選択したセルをキャンプ先セルとして確定し、処理を終了する。
【００８１】
なお、図１４のフローチャートは移動局装置の処理手順の一例であって、移動局装置が優先呼の通信終了後、ＣＳＧセル情報によって測定対象のセルがＣＳＧセルか否かを判断し、さらに、測定した結果最良セルと判断したセルがアクセス禁止かどうかを判断可能な方法であれば、これ以外の処理手順が用いられても良い。更に、移動局装置の移動速度に基づいて、未登録のＣＳＧセルを測定対象に含めるかどうかを判断することも可能である。例えば、ステップＳ１４０５の直前に、移動局装置が停止または低速移動中かどうかを判断し、停止または低速移動中であれば、未登録のＣＳＧセルを含む全ての周辺セルの下りリファレンスシグナルに基づく測定処理を行なうステップを加えることも可能である。また、逆に高速移動中であれば、登録済みであってもＣＳＧセルの測定処理を行わないというステップを加えることも可能である。
【００８２】
以上説明したように、第２の実施形態によれば、移動局装置は、再接続時において未登録のＣＳＧセルであっても再接続対象として選択し、未登録のＣＳＧセルに対して再接続メッセージを送信することが可能となる。また、基地局装置は、移動局装置の再接続要求メッセージを受信し、ＣＳＧセルを再接続先として許可することが可能となる。
【００８３】
また、第２の実施形態により、移動局装置は、第１の実施形態の効果に加え、再接続手順時に未登録のＣＳＧセルを再接続セルとして選択することが可能となり、再接続の成功確率が向上し、通信品質を改善することができる。
【００８４】
（第３の実施形態）
本発明の第３の実施形態について以下に説明する。第３の実施形態は、優先呼の通信中の移動局装置に対し、基地局装置から周辺基地局装置情報を提供することで、より効率的な測定が可能な方法を提供する。第３の実施形態における移動局装置の受信装置と送信装置、および基地局装置の受信装置は第１の実施形態と同じ構成を採ることができる。
【００８５】
図１５は、本発明の第３の実施形態に係る基地局装置の送信装置の一例を示すブロック図である。送信装置１５００は、ＣＧＳセル情報生成部１５０１、アクセス制限情報管理部１５０２、優先呼用制御情報生成部１５０３、送信信号処理部１５０４、送信部１５０５、およびアンテナ１５０６から構成される。送信信号処理部１５０４に優先呼用制御情報生成部１５０３から優先呼用制御情報が入力される他は、図４と同じであるため、説明を省略する。
【００８６】
優先呼用制御情報生成部１５０３には、移動局装置から通知された移動局装置アクセスクラス情報が入力される。移動局装置アクセスクラス情報に、呼種別として優先呼を示す情報が含まれていた場合、優先呼用制御情報生成部１５０３において、事前に登録されていた優先呼用制御情報が送信信号処理部１５０４に入力される。優先呼用制御情報には、ハンドオーバー先セルとして選択可能な周辺基地局装置情報（ホワイトリストとも呼ばれ、セルＩＤや周波数帯域情報が含まれる）が少なくとも含まれる。送信信号処理部１５０４は、ＣＳＧセル情報生成部１５０１からのＣＳＧセル情報に基づき生成される送信信号と、前記優先呼用制御情報と、その他の送信信号に対して適切なスケジューリングを行なう。なお、図１５において、その他の基地局装置の構成要素は本発明に関係ないため省略してある。
【００８７】
図１６は、第３の実施形態における優先呼での通信中状態での周辺セル測定手順と測定報告手順について示したシーケンスチャートである。図１６において、移動局装置が、優先呼の発呼要求により、発呼処理（優先呼）を行ない、ソースセルｃｅｌｌ＿Ａと通信中（アクティブ状態）の状態となるまでは図５と同じである（ステップＳ１６０１〜Ｓ１６０５）。移動局装置は、優先呼での通信中状態において（ステップＳ１６０６）、ソースセルが優先呼用制御情報を送信する（ステップＳ１６０７）。優先呼用制御情報は、報知情報チャネルまたは下りデータチャネルを用いてレイヤ３シグナリングメッセージで送信される。
【００８８】
移動局装置は、受信した優先呼用制御情報で指定された周辺基地局装置の下りリファレンスシグナルを測定の対象とするように制御を変更する（ステップＳ１６０８、Ｓ１６０９）。つまり、周辺基地局装置情報で指定されたセルであれば、そのセル種別に関係なく周辺セル測定処理を行なう（ステップＳ１６１０）。そして、前記測定処理で得られた測定結果を測定報告メッセージに含めてソースセルｃｅｌｌ＿Ａに送信する（ステップＳ１６１１）。図１６では、ＣＳＧセルｃｅｌｌ＿Ｂが周辺基地局情報に指定されている場合を示しており、移動局装置が測定の対象とする下りリファレンスシグナルは、ソースセルｃｅｌｌ＿Ａからの下りリファレンスシグナルｓ（ステップＳ１６０８）と、ＣＳＧセルｃｅｌｌ＿Ｂからの下りリファレンスシグナルｃｓｇ（ステップＳ１６０９）となる。
【００８９】
なお、図１６において、ＣＳＧセルから送信されるその他のチャネルについては省略している。また、基地局装置より周辺セルとしてハンドオーバー先として不適切なセルのリスト（ブラックリストとも呼ばれる）が通知されている場合は、前記不適切なセルに対する測定処理を停止してもよい。また、周辺基地局装置情報で指定される周辺セル情報として、セル情報が個別に複数指定されるほか、測定する周波数帯域が指定されても良い。また、ｃｅｌｌ＿Ａ〜Ｂはそれぞれ別の周波数に配置されていても、別の通信方式であっても良い。
【００９０】
以上説明したように、第３の実施形態によれば、移動局装置は、優先呼での通信中状態において測定対象となるセルが基地局装置より周辺基地局装置情報として指定され、指定されたセルに対して周辺セル測定を行なうことが可能となる。また、基地局装置は、移動局装置に対して適切なハンドオーバー先である周辺基地局装置情報を送信する。さらに、基地局装置は、移動局装置が送信した測定報告メッセージを受信し、測定報告情報に基づきハンドオーバーなどの移動局装置の移動制御を決定する。
【００９１】
また、第３の実施形態により、移動局装置は、優先呼での通信中に測定対象となる周辺セルが指定され、不要な測定報告情報を基地局装置に送信しないため、移動局装置の測定効率が向上し、消費電力が削減される。また、ハンドオーバー先として適切な周辺基地局装置が提供されることになるため、ハンドオーバーの成功確率が向上し、通信品質を改善することができる。
【００９２】
（Ａ）また、本発明は、以下の形態を採ることも可能である。すなわち、本発明の移動局装置は、通常時は事前に登録された移動局装置のみをアクセス可能とする一方、非通常時は未登録の移動局装置のアクセスを可能とする小型基地局装置を含む移動通信システムに適用される移動局装置であって、前記小型基地局装置との間の伝搬路状態の測定を行なうか否かを、通信の優先度に応じて選択する。
【００９３】
このように、小型基地局装置との間の伝搬路状態の測定を行なうか否かを、通信の優先度に応じて選択するので、不要な小型基地局装置との間の伝搬路状態の測定やハンドオーバーが抑制され、移動局装置の電力消費が抑制される一方、必要な小型基地局装置との間の伝搬路状態の測定を行なうことができる。その結果、カバレッジの範囲を広げることができると共に、呼損や通話断を回避することが可能となる。
【００９４】
（Ｂ）また、本発明の移動局装置において、再接続を行なう場合に、直前に行なっていた通信の優先度に基づいて、前記小型基地局装置との間の伝搬路状態の測定を行なうか否かを選択する。
【００９５】
このように、再接続を行なう場合、直前に行なっていた通信の優先度に基づいて、小型基地局装置との間の伝搬路状態の測定を行なうか否かを選択するので、不要な小型基地局装置との間の伝搬路状態の測定やハンドオーバーが抑制され、移動局装置の電力消費が抑制される一方、必要な小型基地局装置との間の伝搬路状態の測定を行なうことができる。その結果、カバレッジの範囲を広げることができると共に、呼損や通話断を回避することが可能となる。
【００９６】
（Ｃ）また、本発明の移動局装置において、前記通信の優先度が高い場合は、前記小型基地局装置との間の伝搬路状態の測定を行なう一方、前記通信の優先度が低い場合は、前記小型基地局装置との間の伝搬路状態の測定を行なわない。
【００９７】
このように、通信の優先度が高い場合は、小型基地局装置との間の伝搬路状態の測定を行なう一方、通信の優先度が低い場合は、小型基地局装置との間の伝搬路状態の測定を行なわないので、優先呼である場合は、未登録の小型基地局装置を伝搬路状態の測定対象とすることができ、通話断を回避することができる。一方、優先呼でない場合は、不要な伝搬路状態の測定情報を基地局装置に送信しないこととなり、伝搬路測定効率が向上し、消費電力を削減することができる。
【００９８】
（Ｄ）また、本発明の移動局装置において、通信を正常に終了した場合は、前記小型基地局装置との間の伝搬路状態の測定を行なわない。
【００９９】
このように、通信を正常に終了した場合は、前記小型基地局装置との間の伝搬路状態の測定を行なわないので、不要な伝搬路状態の測定情報を基地局装置に送信しないこととなり、伝搬路測定効率が向上し、消費電力を削減することができる。
【０１００】
（Ｅ）また、本発明の移動局装置において、少なくとも通常の基地局装置と前記小型基地局装置とを識別するためのセル種別判定情報を出力するセル情報管理部と、前記セル種別判定情報および通信の優先度を示すアクセスクラス情報に基づいて、前記小型基地局装置との間の伝搬路状態の測定を行なうか否かを選択し、前記選択結果に応じた伝搬路状態の測定を行なう受信信号処理部と、を備える。
【０１０１】
このように、セル種別判定情報および通信の優先度を示すアクセスクラス情報に基づいて、小型基地局装置との間の伝搬路状態の測定を行なうか否かを選択し、選択結果に応じた伝搬路状態の測定を行なうので、不要な小型基地局装置との間の伝搬路状態の測定やハンドオーバーが抑制され、移動局装置の電力消費が抑制される一方、必要な小型基地局装置との間の伝搬路状態の測定を行なうことができる。その結果、カバレッジの範囲を広げることができると共に、呼損や通話断を回避することが可能となる。
【０１０２】
（Ｆ）また、本発明の移動局装置は、通常呼の場合は事前に登録された移動局装置のみをアクセス可能とする一方、優先呼の場合は未登録の移動局装置のアクセスを可能とする小型基地局装置を含む移動通信システムに適用される移動局装置であって、優先呼で通信中の基地局装置から、ハンドオーバー先の基地局装置として前記小型基地局装置を選択可能であることを示す優先呼用制御情報を受信したときは、前記小型基地局装置との間の伝搬路状態の測定を行なう。
【０１０３】
このように、優先呼で通信中の基地局装置から、ハンドオーバー先の基地局装置として小型基地局装置を選択可能であることを示す優先呼用制御情報を受信したときは、小型基地局装置との間の伝搬路状態の測定を行なうので、効率的な伝搬路状態の測定を行なうことが可能となる。
【０１０４】
（Ｇ）また、本発明の基地局装置は、通常呼の場合は事前に登録された移動局装置のみをアクセス可能とする一方、優先呼の場合は未登録の移動局装置のアクセスを可能とする小型基地局装置を含む移動通信システムに適用されるに適用される基地局装置であって、前記移動局装置の通信の優先度を示すアクセスクラス情報に、呼種別として優先呼を示す情報が含まれていた場合、ハンドオーバー先の基地局装置として前記小型基地局装置を選択可能であることを少なくとも示す優先呼用制御情報を生成する優先呼用制御情報生成部と、前記優先呼用制御情報を前記移動局装置へ送信する送信部と、を備える。
【０１０５】
このように、移動局装置の通信の優先度を示すアクセスクラス情報に、呼種別として優先呼を示す情報が含まれていた場合、ハンドオーバー先の基地局装置として小型基地局装置を選択可能であることを少なくとも示す優先呼用制御情報を生成し、生成した優先呼用制御情報を移動局装置へ送信するので、移動局装置に対して、適切なハンドオーバー先を通知することが可能となる。
【０１０６】
（Ｈ）また、本発明の移動通信システムは、通常時は事前に登録された移動局装置のみをアクセス可能とする一方、非通常時は未登録の移動局装置のアクセスを可能とする小型基地局装置と、上記（Ａ）から（Ｅ）のいずれかに記載の移動局装置と、基地局装置と、から構成される。
【０１０７】
この構成により、小型基地局装置との間の伝搬路状態の測定を行なうか否かを、通信の優先度に応じて選択するので、不要な小型基地局装置との間の伝搬路状態の測定やハンドオーバーが抑制され、移動局装置の電力消費が抑制される一方、必要な小型基地局装置との間の伝搬路状態の測定を行なうことができる。その結果、カバレッジの範囲を広げることができると共に、呼損や通話断を回避することが可能となる。
【０１０８】
（Ｉ）また、本発明の移動通信システムは、通常時は事前に登録された移動局装置のみをアクセス可能とする一方、非通常時は未登録の移動局装置のアクセスを可能とする小型基地局装置と、上記（Ｆ）記載の移動局装置と、上記（Ｇ）記載の基地局装置と、から構成される。
【０１０９】
この構成により、移動局装置は、優先呼で通信中の基地局装置から、ハンドオーバー先の基地局装置として小型基地局装置を選択可能であることを示す優先呼用制御情報を受信したときは、小型基地局装置との間の伝搬路状態の測定を行なうので、効率的な伝搬路状態の測定を行なうことが可能となる。
【０１１０】
本発明によれば、移動局装置の通信の優先度に応じた複数の周辺セルの測定方法を用意し、これらを切り替える方法を提供することが可能である。また、移動局装置における周辺セルの受信品質の測定方法と報告方法、およびこれらの方法を実現する基地局装置、移動局装置、移動通信システム、プログラムおよび記録媒体を提供することが可能である。
【０１１１】
なお、以上説明した実施形態において、移動局装置および基地局装置の各部の機能またはこれらの機能の一部を実現するためのプログラムをコンピュータ読み取り可能な記録媒体に記録して、この記録媒体に記録されたプログラムをコンピュータシステムに読み込ませ、実行することにより移動局装置や基地局装置の制御を行なっても良い。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに、「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、さらに、前述した機能をコンピュータシステムにすでに記録されているプログラムとの組み合わせで実現できるものであっても良い。
【０１１２】
以上、この発明の実施形態について図面を参照して詳述してきたが、具体的な構成はこの実施形態に限られるものではなく、この発明の要旨を逸脱しない範囲の設計等も特許請求の範囲に含まれる。
【符号の説明】
【０１１３】
１００  受信装置
１０１  受信部
１０２  受信信号処理部
１０３  セル情報管理部
１０４  測定情報管理部
１０５  アンテナ
２００  送信装置
２０１  測定報告メッセージ生成部
２０２  送信信号処理部
２０３  送信部
２０４  アンテナ
３００  受信装置
３０１  受信部
３０２  受信信号処理部
３０３  測定報告メッセージ処理部
３０４  アンテナ
４００  送信装置
４０１  ＣＳＧセル情報生成部
４０２  アクセス制限情報管理部
４０３  送信信号処理部
４０４  送信部
４０５  アンテナ
８００  受信装置
８０１  受信部
８０２  受信信号処理部
８０３  セル情報管理部
８０４  測定情報管理部
８０５  再接続セル選択部
８０６  アンテナ
９００  送信装置
９０１  再接続要求メッセージ生成部
９０２  送信信号処理部
９０３  送信部
９０４  アンテナ
１０００  受信装置
１００１  受信部
１００２  受信信号処理部
１００３  再接続要求メッセージ処理部
１００４  アンテナ
１５００  送信装置
１５０１  ＣＳＧセル情報生成部
１５０２  アクセス制限情報管理部
１５０３  優先呼用制御情報生成部
１５０４  送信信号処理部
１５０５  送信部
１５０６  アンテナ
【図１】
2009150943.tif 000003
【図２】
2009150943.tif 000004
【図３】
2009150943.tif 000005
【図４】
2009150943.tif 000006
【図５】
2009150943.tif 000007
【図６】
2009150943.tif 000008
【図７】
2009150943.tif 000009
【図８】
2009150943.tif 000010
【図９】
2009150943.tif 000011
【図１０】
2009150943.tif 000012
【図１１】
2009150943.tif 000013
【図１２】
2009150943.tif 000014
【図１３】
2009150943.tif 000015
【図１４】
2009150943.tif 000016
【図１５】
2009150943.tif 000017
【図１６】
2009150943.tif 000018
【図１７】
2009150943.tif 000019
【図１８】
2009150943.tif 000020
【手続補正書】
【提出日】平成22年4月12日(2010.4.12)
【手続補正１】
【補正対象書類名】特許請求の範囲
【補正対象項目名】全文
【補正方法】変更
【補正の内容】
【特許請求の範囲】
【請求項１】
事前登録されていない移動局装置のアクセスに制限を設けた第１の基地局装置および前記制限の無い第２の基地局装置を含む移動通信システムに適用される移動局装置であって、
通信中の基地局装置から測定報告対象の基地局装置を指定する周辺基地局装置情報を受信し、
前記周辺基地局装置情報で、前記第１の基地局装置が指定された場合、その基地局装置を測定報告の対象とすることを特徴とする移動局装置。
【請求項２】
前記第１の基地局装置に対しては、前記周辺基地局装置情報の指定に基づいて、測定報告を異ならせることを特徴とする請求項１記載の移動局装置。
【請求項３】
事前登録されていない移動局装置のアクセスに制限を設けた第１の基地局装置および前記制限の無い第２の基地局装置を含む移動通信システムに適用される基地局装置であって、
測定報告対象の基地局装置として前記第１の基地局装置を含む周辺基地局装置情報を、通信中の移動局装置に送信することを特徴とする基地局装置。
【請求項４】
請求項１または請求項２記載の移動局装置と、請求項３記載の基地局装置を含むことを特徴とする移動通信システム。
【請求項５】
事前登録されていない移動局装置のアクセスに制限を設けた第１の基地局装置および前記制限の無い第２の基地局装置を含む移動通信システムの通信方法であって、
基地局装置は、通信中の移動局装置に、測定報告対象の基地局装置として前記第１の基地局装置を含む周辺基地局装置情報を送信し、
移動局装置は、受信した前記周辺基地局装置情報で、前記第１の基地局装置が指定された場合、その基地局装置を測定報告の対象とすることを特徴とする通信方法。
【請求項６】
前記第１の基地局装置に対しては、前記周辺基地局装置情報の指定に基づいて、移動局装置が、測定報告を異ならせることを特徴とする請求項５記載の通信方法。
【国際調査報告】
2009150943.tif 000021
2009150943.tif 000022
2009150943.tif 000023
2009150943.tif 000024
2009150943.tif 000025
2009150943.tif 000026